Podtech/llm-jp-corpus-v4-ja_patent huggingface dataset:
(57)【要約】【課題】従来の密閉型圧縮機にはバルブカバーをテーパ上に形成し、前記バルブカバーのテーパ部に吐出口が斜め上に向くように設けられていた。これにより、固定子のコイルエンドで分離されたオイルが吐出ガスによって巻き上げられ、圧縮機の外に吐出されてしまうといった課題があった。【解決手段】密閉容器の中に圧縮機構部とバルブカバー１とモータを備えた密閉型圧縮機であって、前記バルブカバー１において、少なくとも１つのトンネル形状の吐出口３が、上軸受リブ部４に覆い被さるように下向きに設けられ、前記吐出口３と前記上軸受リブ部４の隙間が２ｍｍ以内に配置されたことを特徴とする密閉型圧縮機。【選択図】図１
2012219642.tif 000002
【特許請求の範囲】
【請求項１】
密閉容器の中に圧縮機構部とバルブカバーとモータを備えた密閉型圧縮機であって、前記バルブカバーにおいて、少なくとも１つのトンネル形状の吐出口が、上軸受リブ部に覆い被さるように下向きに設けられ、前記吐出口と前記上軸受リブ部の隙間が２ｍｍ以内に配置されたことを特徴とする密閉型圧縮機。
【請求項２】
前記トンネル形状のバルブカバーが複数設けられている請求項１に記載の密閉型圧縮機。
【請求項３】
前記トンネル形状のバルブカバーの前記吐出口が、回転子の回転方向に向けられて設けられている請求項１または２に記載の密閉型圧縮機。
【発明の詳細な説明】
【技術分野】
【０００１】
本発明は、冷凍機、空調機などに使用される密閉型圧縮機の改良に関するものである。
【背景技術】
【０００２】
従来この種の密閉型圧縮機にはバルブカバーをテーパ上に形成し、前記バルブカバーのテーパ部に吐出口が斜め上に向くように設けることで、吐出ガスを固定子のコイルエンドに衝突させ、吐出ガスに含まれる冷媒とオイルを分離する技術があった。（例えば、特許文献１参照）
【先行技術文献】
【特許文献】
【０００３】
【特許文献１】特開２０１０−２２３１５５号公報
【発明の概要】
【発明が解決しようとする課題】
【０００４】
しかしながら、前記従来技術では、固定子のコイルエンドで分離されたオイルが吐出ガスによって巻き上げられ、圧縮機の外に吐出されてしまうといった課題があった。
【課題を解決するための手段】
【０００５】
上記目的を達成するために、従来バルブカバーの上面に設けられていた吐出口を、バルブカバーの側面に配置したトンネル形状の突起部の先端に下向きに設けている。さらに前記トンネル形状の突起部は上軸受のリブ部に覆い被さるように設けられ、上軸受リブ部との隙間が２ｍｍ以内になるように構成している。
【発明の効果】
【０００６】
以上のように本発明によれば、吐出口を前述のような構成とすることで、圧縮機構部から吐出された吐出ガスは、バルブカバーのトンネル形状の突起部に沿って流れた後、突起部の先端に設けられた吐出口から吐出される際に、上軸受リブ部に衝突することで冷媒とオイルを分離することができる。また、前記吐出口と上軸受リブ部との隙間を２ｍｍ以内になるよう構成したことで、吐出ガスが吐出した際に発生するオイルの巻上げを抑制することが可能となる。これにより、低オイル吐出の圧縮機を提供する。
【図面の簡単な説明】
【０００７】
【図１】本発明の実施の形態１における要部の平面図
【図２】本発明の実施の形態１におけるバルブカバーと上軸受の関係を示す横断面図
【発明を実施するための形態】
【０００８】
本発明の密閉型圧縮機は、密閉容器の中に圧縮機構部とバルブカバーとモータを備えた密閉型圧縮機であって、前記バルブカバーにおいて、少なくとも１つのトンネル形状の吐出口が、上軸受リブ部に覆い被さるように下向きに設けられ、前記吐出口と前記上軸受リブ部の隙間が２ｍｍ以内に配置されている。
【０００９】
ある実施形態において、前記トンネル形状のバルブカバーが複数設けられている。
【００１０】
ある実施形態において、前記トンネル形状のバルブカバーの前記吐出口が、回転子の回転方向に向けられて設けられている。
【００１１】
以下、本発明の実施の形態について図面を参照しながら説明する。なお、この実施の形態によって本発明が限定されるものではない。
【００１２】
（実施の形態１）
図１は、本発明の実施の形態１における要部を示す平面図である。図２は、本発明の実施の形態１におけるバルブカバーと上軸受の関係を示す横断面図である。
【００１３】
密閉型圧縮機は、密閉容器内にバルブカバー１を備えた圧縮機構部２と電動機によって構成されている。さらに、バルブカバー１には、トンネル形状の吐出口３が設けられており、吐出口３は上軸受リブ部４に覆い被さるように配置されている。
【００１４】
圧縮機構部２から吐出された吐出ガスは、バルブカバー１のトンネル形状の突起部に沿って流れた後、突起部の先端に設けられた吐出口３から吐出される際に、上軸受リブ部４に衝突することで冷媒とオイルを分離することができる。さらに、前記吐出口３と上軸受リブ部４との隙間を２ｍｍ以内になるよう構成したことで、吐出ガスが吐出した際に発生するオイルの巻上げを抑制し、オイル吐出量を低減することができる。
なお、バルブカバー１の吐出口３が、回転子の回転方向に向けられて設けられることが好ましい。
【産業上の利用可能性】
【００１５】
以上のように、本発明にかかる密閉型圧縮機は、圧縮機外部へのオイル吐出量低減および密閉容器内部でのオイル量確保を図ることができるので、空気調和機ばかりでなく、除湿機などにも適用できる。
【符号の説明】
【００１６】
１  バルブカバー
２  圧縮機構部
３  吐出口
４  上軸受リブ部
【図１】
2012219642.tif 000003
【図２】
2012219642.tif 000004
(57)【要約】【課題】塩害土壌の塩分中のナトリウムを、石膏や石灰のカルシウムで置換して除塩をする。この石膏や石灰は土壌水分を吸収し団粒化するので、土壌と良く混じり合わず良好な除塩ができない。【解決手段】石膏や石灰に焼却灰をプレミックスして、焼却灰中に散在させることで石膏や石灰の団粒化を防ぎ、土壌と良く混合できるプレミックス除塩材を作る。これを使用すれば焼却灰中に含まれる肥料成分も同時に土壌に施用できる副次的効果がある。【選択図】なし【特許請求の範囲】
【請求項１】
石膏と焼却灰を混合したことを特徴とする除塩材
【請求項２】
石灰と焼却灰を混合したことを特徴とする除塩材
【請求項３】
石膏と石灰と焼却灰を混合したことを特徴とする除塩材
【請求項４】
請求項１から３の除塩材を使用することを特徴とする除塩方法
【発明の詳細な説明】
【技術分野】
【０００１】
本発明は、土壌から塩分を除去する除塩材に関するものである。
【背景技術】
【０００２】
塩分の除去には、塩害を受けた土壌を真水で洗い流す、表土を剥ぎ取る、客土する等の物理的方法と、塩のナトリウムを石膏や石灰のカルシウムで置換して、塩を他の物質に変化させて除塩する化学的方法と、その両方を組み合わせた方法がある。
【先行技術文献】
【非特許文献】
【０００３】
【非特許文献１】笠岡湾干拓地圃場における石膏による土層改良効果の持続性の検討
【発明の概要】
【発明が解決しようとする課題】
【０００４】
塩害を化学的に除去する方法における問題は、土壌に粉状の石膏や石灰を混合しようとすると、土壌中の水分によって石膏や石灰が団粒状に固まってしまい、土壌とまんべんなく混じりあわない。そのため石膏や石灰に接触できない土壌は塩分の除去ができず、土壌全体では不完全な塩分除去しかできないので、石膏や石灰が団粒化する欠点を改良する必要がある。
【課題を解決するための手段】
【０００５】
石膏や石灰を焼却灰と適当な割合でプレミックスし、焼却灰中に石膏や石灰を分散させたプレミックス除塩材を作る。
【発明の効果】
【０００６】
プレミックス除塩材は、石膏や石灰が水分を吸収しても焼却灰が介在して団粒化しないので、土壌とまんべんなく混合できる。その結果石膏や石灰が土壌とまんべんなく接触できて、良好に塩分を除去できる。
【発明を実施するための形態】
【０００７】
土壌中の塩分濃度を測定し、その濃度からカルシウムの必要量を求めて、石膏や石灰と下水汚泥焼却灰の量を決める。それらを均一に攪拌混合してプレミックス除塩材を作る。そしてこのプレミックス除塩材は土壌に良く分散して混合できるため、良好な除塩効果がある。
【実施例】
【０００８】
このプレミックス除塩材を使用すると、石膏や石灰のカルシウムが土壌の塩分を除去し、下水汚泥焼却灰が含むケイ酸カルシウムとリン肥料を農地に同時に施用することができる。
(57)【要約】【課題】  従来の耐火電磁波シールドセメントは、原子核を廻る電子はバンド宇宙理論により支配される領域が定まっている。よって水と混ぜ合わせて出来たコンクリートは電磁波により数年でひび割れ、超高圧エネルギー電磁波及び火力による耐火シールドに融点の限界点、臨界点という問題があった。【解決手段】  完全反磁性の性質を持ったエネルギー体においては、ひび割れ、超高圧エネルギーによる耐火の融点を超える、限界点を超える物質になるので超強力の電磁波を防止することが出来る。【特許請求の範囲】
【請求項１】
住宅及び高層ビルその他構造体コンクリート及び電磁波シールドセメント。
【請求項２】
エネルギー容器及び化学薬品容器の構造体コンクリート製品及び電磁波シールドセメント。
【発明の詳細な説明】
【技術分野】
【０００１】  本発明は、セメント硬化物に導電性を付与する組成物に関する。さらに詳しくは、病院の手術病床などに発生する静電気を消滅させる床材などの建設材料、高層ビル等構造物の建設材料及び通電により発熱させて融雪などを行うロードヒーティングや、住宅の保温などの発熱体用建設材料に利用できる超耐性用電磁波シールドセメントに関するものである。
【背景技術】
【０００２】  従来、導電性を有する材料（硬化物など）を得る方法は、導電性成分と有機或いは無機物のバインダー成分とから得る方法が知られている、導電性成分として、カーボングラファイト、導電性カーボンブラック、酸化スズ、酸化亜鉛、アルミニウム粉末、同粉末、銀粉などの紛体系導電体やカーボン繊維、ステンレス繊維、金属繊維などの繊維系導電体が用いられ、有機或いは無機物のバインダー成分として、セメント、エポキシ樹脂、アクリル樹脂、ポリエステル樹脂などが用いられている。【０００３】  このうち導電性を有する建設材料としては、耐火性、耐候性、低価格が必要であり、カーボングラファイトや、カーボン繊維を導電性成分とし、セメントをバインダー成分にした組成物が用いられていた。例えば帯電防止を目的にした導電性床材としては古くから導電性カーボンとセメントからセメントモルタルを現場打ちして硬化物を得ていた。また電磁波吸収材得る方法としては、セメントと磁性粉粒物（フェライト等）を組み合わせた電界シールドによる方法との併用からなる組成物をＴＶ周波数帯域用電波吸収物とする方法（特開平３−２０３３９６号公報）やセメント、軽量骨材、非導電性繊維、合成樹脂エマルジョンとセメント１００質量部に対し、カーボングラファイト５〜２０質量部及び／又は炭素繊維０．０１〜５質量部からなる電波吸収体とする方法（特開平８−６７５４４号公報）などがある。このうち電界シールドによる方法では導電性を有することが一つの必要な性質である。【０００４】  常温におけるセメント組成物はバンド理論によりエネルギー領域が定まっている。
2012219009.tif 000002
ーが衝突すると磁気シールドも電界シールドもくずれてしまう。バンド理論を超えるエネルギー素子が存在していなかった。又磁気シールド、電界シールドが存在していなかった。
【先行技術文献】
物理エネルギーと化学エネルギーの統合理論  ディラック。
量子力学、一般相対性理論。
反物質  モーリス、ジェイコブ。
単極子  ディヴィット、オリーブ等。
【特許文献】
【０００５】
【特許文献１】  特開平１１−１２０１４号公報
【非特許文献】
【０００６】
【非特許文献１】  素粒子理論。光における電子移動理論  １９９２年ノーベル賞。Ｗ粒子理論。弱い相互作用の理論  波動量子力学。マトリックス力学。ブラックホールと特異点、ホーキンズ。
【発明の概要】
超耐火性、耐候性、強度に優れ、さらに超導電性を有する低価格な超耐火性電磁波シールドセメント材料である。又、電磁波エネルギーを消滅させる性質を持っているのであらゆる化学、物理反応エネルギーを吸収し、中和し、ゼロにする特性を持っている材料でる。
【発明が解決しようとする課題】
【０００７】  以上に述べた従来の電磁波シールドセメントでは電磁波超高圧セメントが衝突すると磁気シールドも電界シールドもくずれてしまう。ものであった。【０００８】  本発明は、このような従来の問題を解決しようとするものであり、電磁波超高圧エネルギーが衝突しても、磁気シールドも電界シールドもくずれない事を実現するものである。
【課題を解決するための手段】
【０００９】  そして、本発明は本発明は上記目的を達成するために完全反磁性体物質の働きをする物質エネルギー体を普通のセメントに混ぜ合わせることで、超耐火性電磁波シールドセメントに生成したものである。【００１０】  また、本発明品は電磁波エネルギーを消滅させる性質により、化学、物理反応エネルギーを吸収し、中和、ゼロにする材料である。よって目的が達成されるものである。
【発明の効果】
【００１１】  あらゆるエネルギーを吸収する。又化学反応、物理エネルギー反応を消滅させ、エネルギーをゼロにしてしまう。例えば物質の融点を超えた物質が出来る。耐振の限界点を超えた物質が出来る。磁気シールド、及び電界シールドにもなる。よって超耐火性電磁波シールドセメントによるコンクリートが出来る。
【図面の簡単な説明】
【００１２】
【図１】  完全磁性体の竹炭で原子が右回りスピン、左回りスピンの混合した集合体マトリックスエネルギー体。
【図２】  図１を粉末にしたものである。
【図３】  竹炭の粉末とセメントの粉末を示すものである。
【図４】  図３を混合したものである。
【図５】  図４に水を普通に混ぜ合わせたものである。
【発明を実施するための形態】
【００１３】以下本発明の実施の形態を図１〜図５に基ずいて説明する。
【図１】
完全磁性体の竹炭で原子が右回りスピン、左回りスピンの混合した集合体マトリックスエネルギー体。
【図２】
図１を粉末にしたものである。
【図３】
竹炭の粉末とセメントの粉末を示すものである。
【図４】
図３を混合したものである。
【図５】
図４に水を普通に混ぜ合わせたものである。
【００１４】  図４のコンクリートは完全反磁性のコンクリートになる。又、電磁波シールド効果のあるコンクリートになるものである。
【符号の説明】
【００１５】１．竹炭。
２．原子のエネルギー構造体。及びマトリックス構造体。
３．普通のセメント粉末。
１１．竹炭の粉末。
４．竹炭と普通のセメントを混ぜ合わせた。完全反磁性体セメント。
５．水  Ｈ２Ｏ又は水道水。
６．竹炭と普通のセメントを混ぜ合わせた粉末と水を混ぜ合わせた物、コンクリート。
【図１】
2012219009.tif 000003
【図２】
2012219009.tif 000004
【図３】
2012219009.tif 000005
【図４】
2012219009.tif 000006
【図５】
2012219009.tif 000007
(57)【要約】【課題】フライパンや鍋で油炒めをする際に、油を吸い取るためにクッキングペーパー等を使用するが、クッキングペーパーが白色無地だと、油を吸い取ったクッキングペーパーが料理と識別できずに皿に盛り付けられ、料理を供された人に不快感を与えることがあった。本発明は油を吸い取ったクッキングペーパーを容易に料理と識別して取り除くことができるクッキングペーパー等を提供する。【手段】クッキングペーパー等に着色する。あるいはクッキングペーパー等に線、図形、模様、絵柄、文字等を印刷する。【選択図】図２
2012219426.tif 000002
【特許請求の範囲】
【請求項１】
クッキングペーパー、キッチンペーパー、キッチンタオルあるいはペーパータオル等に印刷、あるいは着色したクッキングペーパー、キッチンペーパー、キッチンタオルあるいはペーパータオル等。
【請求項２】
クッキングペーパー、キッチンペーパー、キッチンタオルあるいはペーパータオル等に線、図形、模様、文字等を印刷、あるいは着色したクッキングペーパー、キッチンペーパー、キッチンタオルあるいはペーパータオル等。
【発明の詳細な説明】
【技術分野】
【０００１】  本発明は印刷、あるいは着色したクッキングペーパー、あるいはペーパータオル等に関するものである。
【背景技術】
【０００２】  従来、白色無地のクッキングペーパー、キッチンタオル、キッチンペーパー、あるいはペーパータオル等があった。
【発明の概要】
【発明が解決しようとする課題】
【０００３】  従来のクッキングペーパー、あるいはペーパータオル等には次のような欠点があった。
フライパンや鍋で油炒めをする時に、余分な油を吸い取るために、調理中にクッキングペーパーを入れていた。すると油を吸い込んだクッキングペーパーは料理と同じような色になるので、料理に紛れて取り出されずに皿に盛り付けられ、料理を供された人に不快感を与えることがあった。
本発明は以上の問題点を解決する為に発明されたものである。
【課題を解決するための手段】
【０００４】  料理材料に紛れないように、クッキングペーパーが料理と識別できるように印刷、あるいは着色する。
そして料理によって食材の色が異なるので、着色する時に２色以上の異なった色で着色すると更に利便性が増す。
例えば、エビチリソースを作るときに赤い色の印刷では、クッキングペーパーは料理と同じような赤い色になり、料理に紛れて完全に取り除かれない恐れがある。
また、モヤシ炒めを作るときに黒い色の印刷では、クッキングペーパーは料理と同じような黒い色となり、料理に紛れて取り除かれない恐れがある。
クッキングペーパーを赤と黒に印刷すると、エビチリソースでは黒い色でクッキングペーパーが識別でき、モヤシ炒めでは赤い色でクッキングペーパーが識別できる。
さらに色数を増やして黄色、青等にも印刷、あるいは着色すれば相当数の料理に対応できる。
そして、クッキングペーパーに印刷する形態を線、図形、絵柄、文字等とすると、クッキングペーパーと料理の識別が格段に容易になる。これは染料や着色料を節約し、食材への着色料の影響をも最小限にする効果がある。
以上の構成によるクッキングペーパー、あるいはペーパータオル等。
【発明の効果】
【０００５】  本発明のクッキングペーパー等を使用することによって、余分な油を吸い込んだクッキングペーパー等を、料理材料と容易に識別して取り除くことができる。
【図面の簡単な説明】
【０００６】
【図１】本発明の、線を印刷したクッキングペーパーの平面図
【図２】本発明の、線、あるいは模様、図形、文字を印刷したクッキングペーパーの平面図
【図３】本発明の、複数の色に着色したクッキングペーパーの平面図
【発明を実施するための形態】
【０００７】  以下、本発明の実施の形態を説明する。
（イ）クッキングペーパー等に線を印刷する。
（ロ）クッキングペーパー等に模様、図形、文字等を印刷する。
（ハ）クッキングペーパー等を赤と黒と緑の３色に印刷、あるいは着色する。
【符号の説明】
【０００８】１  クッキングペーパー
２  線
３  図形
４  文字
５  模様
【図１】
2012219426.tif 000003
【図２】
2012219426.tif 000004
【図３】
2012219426.tif 000005
(57)【要約】【課題】従来の排水設備、排水桝の接合部分の亀裂破損が原因で放流の詰まりで使用出来ない。破壊、更新で作業時間使用出来ない、高額。【解決手段】全体破壊でなしに部分修理で十分使用可能になる。モルタルミルクを上部から満タン注入する事により、亀裂、破損箇所も丈夫になる。【選択図】なし【特許請求の範囲】
【請求項１】
亀裂、破損部分の修理完成し快適に放流する排水設備
【発明の詳細な説明】
【技術分野】
【０００１】
本発明は既存排水設備の排水舛に関する。
【背景技術】
【０００２】
排水設備の排水舛とは汚水、雨水を放流する装置の一部で掃除、手入れ、点検の為に設けられた大事な設備です。
【０００３】
在来の排水設備と排水舛を説明する。排水舛はコンクリート製品でそれと排水設備の塩化ビニール製品（異物）と接合部分の接着をセメントで接合されています。接合部分が長年の間に亀裂,破損し其の部分に修理が必要、漏水し地盤沈下等で詰まり、使用不可になり不衛生になる。
【０００４】
在来工法は破壊、廃棄処分し更新工事、高額になります。
【先行技術文献】
【非特許文献】
【０００５】
【非特許文献１】排水設備規則
【発明の概要】
【発明が解決しようとする課題】
【０００６】
本発明は既設の排水設備、排水桝を破壊し、更新工事が非社会で無駄と考え非破壊で修理を考案しました。
【課題を解決するための手段】
【０００７】
本発明は、排水舛の亀裂、破損部分を修理する工程１〜８。
（１）亀裂、破損部分を、止水目的で簡易封鎖する。
（２）亀裂、破損、近隣上部にコンクリートキリで穴を空ける。
（３）２から消毒液水を満水にして加圧エアーで攪拌する。
（４）漏水した軟弱地盤がヘドロ化する。
（５）封鎖解除すると、消毒液、ヘドロが亀裂、破損部分から放流する。
（６）２から湿式吸引（バキユウム）で吸い込み、空洞化する。
（７）６へ、加圧エアーの混練機でセメントミルク製造し亀裂から溢れる迄注入する。
（７）溢れた部分を化粧する。
（８）急結液の塗布で完成。
【発明の効果】
【０００８】
本発明の非破壊修理作業は、衛生的、短時間作業の為、早期使用の利点がある。
【０００９】
地盤沈下の可能性のあるところが空洞化され、モルタルミルクが充填されて丈夫になる。
【００１０】
無駄を無くしクリーンエネルギーにも効果があります。
(57)【要約】      （修正有）【課題】スラブ型枠の早期解体および転用において、サポートを存置したまま脱型可能な施工方法を提供する。【解決手段】サポート上支持体３とサポート間支持体２と枠板がコンクリートに面していて、サポート間支持体２の側面に枠板を載せ架けて接続している。サポート間支持体２は連結ピンを引き抜くと、荷重が作用した状態でもサポート上支持体３から分離し下方向へ抜き取りを可能にするように、端部を斜めに切断した形状となっている。サポート間支持体２を取り外した後、枠板を取り外しが行えるのでサポートの存置状態を維持できる。【選択図】図３
2012219430.tif 000002
【特許請求の範囲】
【請求項１】
連結棒と連結ピンで接続された、サポート上支持体とサポート間支持体は、それぞれ直接コンコリートを支え、両端部の形状が相対する同じ角度で両端が斜めに切断されているため、コンクリート打設後にサポート間支持体のみを下方向に引き抜くことを可能とし、側面に載せ架け接続しているユニット化した枠板が、同時に取り外せることで、サポートの存置状態を維持したまま脱型できることで、転用回数の向上及び低コストを実現することを特徴とするスラブユニット型枠体。
【請求項２】
サポート間支持体の側面には鍔が設けてあり、枠板の脱落防止機能を備えていることを特徴とするスラブユニット型枠体。
【発明の詳細な説明】
【図面の簡単な説明】
【０００１】
【図１】本発明のスラブユニット型枠及びその脱型方法の一実施例を示す斜視図である。
【図２】本発明のスラブユニット型枠及びその脱型方法の一実施例を示す部分拡大側面図である。
【図３】本発明のスラブユニット型枠及びその脱型方法の一実施例を示す部分拡大側面図である。
【図４】本発明のスラブユニット型枠及びその脱型方法の一実施例を示す部分拡大断面図である。
【図５】本発明のスラブユニット型枠及びその脱型方法の一実施例を示す部分拡大斜視図である。
【図６】本発明のスラブユニット型枠及びその脱型方法の一実施例を示すサポートを存置した状態の斜視図である。
【符号の説明】
【０００２】
Ａ型枠、Ｂスラブ躯体、1枠板、２サポート間支持体、３サポート上支持体、４連結棒、５連結ピン、６楔、７サポート、８ピン挿通孔、９連結ピン、１０補強板
【図１】
2012219430.tif 000003
【図２】
2012219430.tif 000004
【図３】
2012219430.tif 000005
【図４】
2012219430.tif 000006
【図５】
2012219430.tif 000007
【図６】
2012219430.tif 000008
(57)【要約】【課題】従来の風力発電機は無風状態では、発電することが不可能であった。本発明は、歯車の回転力を利用し、常に風車を動かすことで発電し続けることを可能とする風力発電機を提供する。【解決手段】モーターを動かす小さな電力を歯車とタービンを利用し、回転運動を高めることで、常に大風車を回転させ、大きな発電力に変えることができる。無風状態でも発電できることを特徴とする、歯車連動型風力発電機。【選択図】図３
2012219813.tif 000002
【特許請求の範囲】
【請求項１】
歯車を利用して回転運動を伝達、増幅し、風車の回転力に変えて発電させる風力発電機。
【請求項２】
小さな電力で回転させた歯車を、大きな回転運動に変えて常に風車を回し続け、発電し続けることが可能な風力発電機。
【発明の詳細な説明】
【技術分野】
【０００１】  本発明は、無風状態でも常に安定した電力を供給できる仕組みを備えた風力発電機に関するものである。
【背景技術】
【０００２】  従来より存在する風力発電機は、風の力で風車が回転し、その回転運動を発電機に伝えて電気をおこしている。
【発明の概要】
【発明が解決しようとする問題】
【０００３】  従来型の風力発電機では、無風状態では電気をおこすことは不可能であった。
本発明は、以上の問題点を解決するためになされたものである。
【課題を解決するための手段】
【０００４】  支柱内部に歯車を小風車から中風車、中風車から大風車に向い順に大きくなるように設置する。小風車の中心軸にモーター、中風車の中心軸にタービン、大風車の中心軸にはタービン、ブレーキ装置、発電機を設置する。ナセル上部にセンサーを設け、風向きを感知して風力でナセルが動くようにする。
支柱元にスイッチ、充電器、バッテリー、変圧器を設ける。
以上の構成よりなる歯車連動型風力発電機。
【発明の効果】
【０００５】  従来型の風力発電機は、無風状態では電気をおこすことは不可能である。
本発明では歯車を利用することで、小さな回転力から大きな回転力を生み出し、小さな電力で、効率よく安定した風力発電を無風状態でも行えることが可能である。
【図面の簡単な説明】
【０００６】
【図１】本発明の全体図
【図２】本発明の内部正面図
【図３】本発明の内部側面図
【発明を実施するための形態】
【０００７】  以下、本発明の実施の形態を説明する。
（イ）支柱（５）内部に下方より中間、中間より上方に向け、順に大きくなるように歯車（４）を設置する。
（ロ）支柱上部にナセル（６）を設置し、支柱とナセルの間にクラッチ（１６）、ナセル上部にセンサー（１５）を設ける。
（ハ）ナセル内部は、大風車（１）の中心軸（９）上に設けたタービンＡ（１２），ブレーキ装置（１３）、歯車、発電機（１４）からなる。
（ニ）支柱下方に小風車（３）を設け、その中心軸（７）にモーター（１０）と一番小さい歯車を設置する。また支柱中間に中風車（２）を設け、その中心軸（８）にタービンＢ（１１）、一番小さい歯車と、一番大きい歯車を設置する。
（ホ）支柱元にスイッチ（１７）、充電器（１８）、バッテリー（１９）、変圧器（２０）を設ける。
本発明は以上のような構造である。
本発明を使用するときは、バッテリー（１９）、もしくは家庭用電源よりモーター（１０）に電気を送る。モーターが作動すると小風車（３）が回転、その回転力で一番小さな歯車（４）が回転する。順次、歯車が回転し動力を伝える。
歯車は下から上にいくに連れ、大きくなるように設置してあるので、パワーは強くなり、中風車中心軸（８）に到達した動力でタービンＢ（１１）が作動、中風車（２）が回転する。それに伴い中風車中心軸（８）上の一番小さい歯車が回転し、上方に動力を伝える。
歯車によりさらに支柱上部に到達した回転力は、クラッチ（１７）に伝わり、大風車回転軸（９）に設置した歯車まで到達する。タービンＡ（１２）が作動、大風車（１）が回転し，回転運動を、発電機（１４）に伝え電気を起こす。
支柱上部に設置したセンサー（１５）によって、風向きを感知、風の吹く方向に大風車（１）が向き、効率よく風を受けることが可能である。また、台風など強風対策として、ブレーキ装置が設置してある。
発電機によって作られた電気は支柱内部を通り、支柱元の変圧器を経て、家庭用電源へ送られる。
【符号の説明】
【０００８】１大風車、２中風車、３小風車、４歯車、５支柱、６ナセル、７小風車中心軸、８中風車中心軸、９大風車中心軸、１０モーター、１１タービンＢ、１２タービンＡ、１３ブレーキ装置、１４発電機、１５風向風速測定器、１６クラッチ、１７スイッチ、１８充電器、１９バッテリー、２０変圧器
【図１】
2012219813.tif 000003
【図２】
2012219813.tif 000004
【図３】
2012219813.tif 000005
(57)【要約】      （修正有）【課題】生態系を破壊し、環境を悪化させる排気ガスなどの有害物質を発生させない発電装置を提供する。【解決手段】「メビウスの環」の軌道を有する無端ベルトを等間隔に設置し、軸を有する一つの集合体とすることで、その運動エネルギーを集合体の回転エネルギーに変換する。つまり、円周にあたる部分は「メビウスの環」Ｂ〜Ｄ間であり、この運動エネルギーが集合体の回転エネルギーとなる。又、この集合体の回転エネルギーは集合体の中心に集中し結果として重力を発生する。これらのエネルギーは「メビウスの環」の軌道を物質が循環することにより生じるものである。【選択図】図４
2012219812.tif 000002
【特許請求の範囲】
【請求項１】
「メビウスの環」の形状を軌道とする物質（仮に無端ベルトとする）を束ね一つの集合体とし、この「メビウスの環」の軌道の位置エネルギーを運動エネルギーに変換する性質を用い、この集合体の回転エネルギーに変換させることを特徴とする「重力変換方法」。
【発明の詳細な説明】
【技術分野】
【０００１】本発明は化石燃料をエネルギー源とする経済活動で引き起る公害や地球温暖化の防止に役立つ新たなエネルギー発生方法。重力変換方法である。
【背景技術】
【０００２】現在、人類の経済活動は一部を除き、化石燃料を使っているため、ＣＯ２などの排ガス等有害物質を大量に発生させている。
【非特許文献】  特になし
【発明の開示】
【発明が解決しようとする課題】
【０００３】現在のエネルギー利用方法では、地球環境が悪化し生態系への影響がはかりしれない。【０００４】そこで太陽光や風力などの自然エネルギーが考えられているが、エネルギー効率やコストの面で課題が多い。
【課題を解決する為の手段】
【０００５】「メビウスの環」の形状を軌道とする無端ベルトの、位置エネルギー（重力）が運動エネルギーに変換される性質を用い、この無端ベルトを、軸を有するように等間隔に複数本束ね一つの集合体とし、軸が垂直になるように設置することでこの集合体の回転エネルギーとする「重力変換方法」、又、この集合体が核となるように周りにリングを設置することで、集合体の回転より生ずる重力エネルギーをリングの回転運動として保存することを特徴とする「重力エネルギー保存方法」。又、この原理を用い発電手段とすることを特徴とする発電システム。
【０００６】上記の課題解決手段による作用は次の通りである
地球環境の悪化を防止し、なおかつエネルギー問題も解決できる。
【０００７】また、新技術の開発や科学分野の発展など相乗効果も見込める。
【発明の効果】
環境破壊を防止し、科学技術の発展や資源をめぐる戦争や貧困を解決し、意識レベルの向上が見込まれる。
【発明を実施する為の最良の形態】
【０００８】以下本発明の実施の形態を図１〜図５に基づいて説明する．
【０００９】図１は「メビウスの環」の軌道内のエネルギーの流れを仮に「おもりの役目のベルト」を使うことで説明するものである。また、以下、図１〜図５についても「無端ベルト」や「メビウスの環」などは軌道とその流れを意味するものである。
おもりの役目のベルトを３等分の長さとしメモリを、それぞれＡ・Ｂ・Ｃ・Ｄとし表している。１本のおもりの役目のベルトを図１のように、Ｂを頂点として、ＡＢ間を垂直にし、ＢＣはＡＢに対して６０度の角度でＡの高さ（低さ）まで延ばせば、直角三角形の底辺のない形となる。このとき、ＡＢとＢＣＤの重さの比率は１：２である。因ってＡＢはＢＣＤの重力（重さ）により引き上げられてしまう。
【００１０】図２は図１のベルトのＡとＤをつなげ正三角形になるようにしたものである。図１で示したようにこの状態であってもＡＢとＢＣＤのおもさの比率は１：２である。例えば、三角定規やリンゴ等をこのように配置したときどちらに倒れるかを想像してもらえるとよい。図２のようにＡＢを垂直にし軸としたときの三角形の重心はＡＢ軸上ではなく外側にズレている。つまり、この状態であれば重さ（位置エネルギー）が本来の位置に移動しようとする運動エネルギーが発生（変換）するのである。
【００１１】図３は効率よくエネルギーを得るためにＢＣＤ間をなめらかな角度で弧を描くようにしたときの無端ベルトの流れと軌道を表している。図３−１のように「メビウスの環」の形状にしても軸と弧の重さの比率は、図１，図２で示したように（１：２）である。つまり、軸を垂直にしていれば弧であるＢＣＤ間には常に（＋１）の運動エネルギーが生じている。
【００１２】図４−Ｉは無端ベルトの集合体を上からみたときのベルトの動きを表している。
「メビウスの環」の軌道を有する無端ベルトを等間隔に設置し、軸を有する一つの集合体とすることで、その運動エネルギーを集合体の回転エネルギーに変換するのである。つまり、図４−Ｉの円周にあたる部分は「メビウスの環」Ｂ〜Ｄ間であり、この運動エネルギーが集合体の回転エネルギーとなるのである。又、この集合体の回転エネルギーは集合体の中心に集中し結果として重力を発生するのである。これらのエネルギーは「メビウスの環」の軌道を物質が循環することにより生じるものである。図４−ＩＩは集合体としたときの一つの無端ベルトと、集合体として回転しているときのその軌道を表している。（軸ＡＢとＢＣＤとの傾斜角度は６０度である。又、左右どちらに傾斜させるかは集合体で統一する。）
【００１３】図５は「メビウスの環」の集合体にリングを設置した図形である。この集合体が回転することにより、その周囲には重力が発生する。そこで集合体より放出されたこのエネルギー（重力）を回転として保存するためにリングを設置する。（リングは、この集合体より生じたエネルギー（重力）の分布している範囲内で集合体の回転を阻害しないように配置する。地球でいえば赤道上である。又、分布形状としては銀河系の円盤形を参考にするとよい。）又、この原理を用いリングに高速回転を加えれば無端ベルトの循環運動が加速し集合体の軸よりエネルギーを生じさせることが可能となる。
備考、これら一連の集合体等の設置状況は集合体を囲うような真空容器内がよい。又、「メビウスの環」の軌道を有する構造や構造体、無端ベルト、リングの材質、設置状況等は要求される軌道の動きやすさなどを考慮して決定される設計的事項である。つまり「メビウスの環」やリング等の「軌道」を保持することを条件とするものである。
【図面の簡単な説明】
【００１４】
【図１】は傾斜にベルトをのせた図である。
【図２】はベルトの両端をつなげた図である。
【図３】Ｉはベルトを「メビウスの環」状にし横から見た図である。又、Ｉ〜ＩＩＩそれぞれベルトの動きも表してる。ＩＩは別な角度で横から見た図である。ＩＩＩは上から見た図である。
【図４】は集合体を上から見たものと、横から見たときの一つのメビウスの環状の動きを矢印で現している。
【図５】Ｉはリングを配置した集合体を横から見たものである。ＩＩは上から見たものである。
【符号の説明】
【００１５】ＡＢＣＤはベルトの大きさ（長さ、重さ等）をあらわすためのメモリである。
Ｅは「メビウスの環」の集合体である。
Ｆはリングである。
【図１】
2012219812.tif 000003
【図２】
2012219812.tif 000004
【図３】
2012219812.tif 000005
【図４】
2012219812.tif 000006
【図５】
2012219812.tif 000007
(57)【要約】【課題】  従来の草刈り鎌や芝刈りハサミの手作業での危険度や手に血豆や水脹れが出来やすく腱鞘炎や腰痛に悩む人も多数見受けられます、機械の刈り取り作業も騒音と飛散が激しく、取り扱う人も周りの人にも迷惑になるためである。【解決手段】  刈り込む時の体制は鍬は上から下ろして土や根を掘る作業だが途中からを約９０度曲げると掘ることが出来ない、手前に引いて茎のみを切り落とすことしか出来なくなります、軽く手前に引く事を基本にして余計な作業を避けることで疲労削減や時短につながります、刈り取りの方法も体のリズムを考え動きやすく、安全で音も静か石や雑草の飛散がない方法、上下角度調整（４）をして従来刈り取りが出来なかった場所も伸縮柄を使って届かなかった所まで刈り取り範囲を広げ新たな地域まで作業範囲が広がること請け合いです作業の効率を良くした草刈り器具を提供する。【選択図】      図１
2012075428.tif 000002
【特許請求の範囲】
【請求項１】
草刈りトンボを上から見たときはＴ字型、横から見た時はカタカナのク、ひらがなのつ、数字の７の字に見える形で柄の部分を上として下は刃物部分、柄を上にして手前に引いて切れる構造。
【請求項２】
鋭利な刃物状に加工した錆ができにくい鋼板やチタン、ステンレス、セラミック、硬いプラスチック等をＬアングルやＴ字型器具に取り付け加工したもので草刈りトンボとしたもの。
【請求項３】
Ｌアングルの背板（Ａ）やＬアングル受台（Ｂ）に刃物取り付け加工や刃物を施して、Ｔ字型構造の草刈りトンボとしたもの。
【発明の詳細な説明】
【技術分野】
【０００１】
本発明は従来の刈り込みにない方法、鎌やバリカンに変わる用具で野球のグランド整備で使用しているトンボの形に似ている、柄を上から下ろし手前に引く方法により、女性やお年寄りが簡単に操作ができ体のリズムに合わせやすい形で疲労軽減が測れる、また角度調整機能により好きな体形で作業が出来ます、手持ち伸縮柄で使用出来る草刈り用具の提供。
【背景技術】
【０００２】
従来の草刈りは鎌で片方の手で草を持ち利き腕で草の下側を刈り取ります、バリカンの時は聞き手で手を握力で使い刈り取り、作業も中腰で血豆や腱鞘炎、腰痛など大変苦労させられます、また電動では配線の手間、バリカンの電池切れ、ガソリンエンジンの石の飛散や騒音の発生、機械故障の欠点や、刃物の切れ味や替え刃の取り替え問題山積。
【先行技術文献】
【特許文献】
【０００３】
【特許文献１】特開  ２００８−１７８２５号  公報
【発明の概要】
【発明が解決しようとする課題】
【０００４】
以上に述べた様に従来の手で刈り取るには疲労や痛みが伴い、電気やエンジンの取り扱いもトラブルや騒音、飛散と問題発生が多い。
【０００５】
本発明は、以上のような従来の欠点に鑑み、なるべく疲労度を少なくし、多くの草を刈り込むことはできないか、また体全体の連動性で楽な方法は無いものか、体のリズムとして動きやすい方法はないか実現することに向け取り組む。
【課題を解決するための手段】
【０００６】
本発明は上記目的を達成するために鍬のようなイメージで刃物の上部を70度〜90度曲げれば直接刃が土に当たらず、引いて手前の茎を刈ることしか出来ない為作業としては良い、より多く刈り取るための手段としてグランド整備で使用しているトンボの形を考え、上から見ればＴ字型、鍬を横からみてカナのフに似た構造だがそのフの中央付近から70度〜90度内側に曲げれば、ひらがなのつ、カタカナのク、数字の７の字に似た形になり、上から下して土や根に付かないよう刃物が地面と並行して刈り取ることの形で全体重量も軽く、持ち上げても負担がかからない用具として刈り取り作業のみを実施し刃物と柄の部分とが一定の距離を保って安全確保に、柄は伸縮にすることで今まで刈れなかった場所まで範囲が広がるので全体が軽量になればと考える。
【発明の効果】
【０００７】
鍬のように柄を軽く持ち上げそつと下ろし手前に引く事が作業の連動性を生み負担軽減に結びつき、作業範囲が更に上回ります、上下角度調整具（４）と柄も伸縮性（５）にすれば、新たな作業範囲も上回り、目線上や足より下でも利用ができるようになり、川の中、河川の堤防や、煩雑な地形場所等、刈り込みの巾が広がります、器具の軽量化によって刈り込み作業の負担軽減と迅速性を発揮します。
【０００８】
素材を錆の少ない鋼鉄やステンレス、チタン、セラミック、硬度のプラスチック等を用いた刃物を刃物加工したものをＴ字型器具、Ｌアングル型（１）の柄方向に加工した方法でアングル状態の先が刃物で板状か曲げ加工を施して地面に刃が当たらないようにしたもの。
【図面の簡単な説明】
【０００９】
【図１】本発明の全体の斜面図である
【図２】Ｔ字型器具、Ｌアングル型の斜面図である
【発明を実施するための形態】
【００１０】
従来の草刈りは鎌で片方の手で草を持ち利き腕で草の下側を刈り取ります、バリカンの時は利き手で手を握力を使い刈り取り作業も中腰で血豆や腱鞘炎、腰痛など大変苦労させられます、この発明品はグランド整備で使用しているトンボ似だが刃を内側に付け引いて切れる様にした、刃と柄とは距離を保ち、突いても振りかざしても刃が人に当たらない危険性のない器具で手軽に持ち運びが出来る。
【実施例】
【００１１】
この発明は安全性と軽量化を考え刃物を柄の方向、つまり内側の方向にして、突いても振りかざしても刃が人に当たらなく、鍬のように土や根を掘るのではなく茎や葉のみを刈り取りので時短による刈り取り作業と疲労や炎症を抑え更なる刈り取り範囲の巾が広がります、Ｔ字型器具、Ｌアングル型（１）に角度調整器具（４）と伸縮柄（５）を組み合わせ刃先を内側にして引いて切れる様に設計したもの。
【符号の説明】
【００１２】
１      Ｔ字型器具、Ｌアングル型
２      鋭利な刃先
３      柄の挿入口
４      上下角度調整具
５      伸縮柄
Ａ      Ｌアングル背板
Ｂ      Ｌアングル受台
【図１】
2012075428.tif 000003
【図２】
2012075428.tif 000004
(57)【要約】      （修正有）【課題】サイズが違う亀頭に適合性あり、ゴムアレルギーを起さず、使用時に外れて紛失することのない包茎矯正器具の提供。【解決手段】弾力性のあるシリコンチューブ１を使用者自身で亀頭のサイズに合わせて切断することで、自分の亀頭のサイズに調整して合わせることが出来、ゴムの代わりにシリコンを使用することで、ゴムアレルギーを防ぎ、ヒモで衣服に固定することで紛失を防ぐ。【選択図】図１
2012075842.tif 000002
【特許請求の範囲】
【請求項１】
合成樹脂で形成された胴体部の両端の棒状の部分に弾力性のあるシリコンチューブの両端を亀頭下部で差し込んで連結してリング状にした構造からなり、シリコンチューブは使用者の亀頭のサイズに合わせて切断することで、自分に合ったサイズに調整が出来る包茎矯正器具。
【請求項２】
チューブはシリコンチューブを使うものとし、ゴムチューブを使用しないのでゴムアレルギーを防げる請求項１に記載の包茎矯正器具。
【請求項３】
胴体部下部がＵ字に湾曲することで尿道の圧迫を防ぐとともに、胴体部中央に開いている穴にヒモを通し、安全ピン等で衣服に固定することで、使用中に紛失を防げる請求項１又は２に記載の包茎矯正器具。
【発明の詳細な説明】
【技術分野】
【０００１】  本発明は包茎の人の包皮が戻らないようにして亀頭を露出させた状態を維持する包茎矯正器具に関するものである。
【背景技術】
【０００２】  従来より包茎の矯正器具には大きく分けて２つの方法があった、１つは性器の根元に装着しゴム又はヒモ状の物を腰や体に固定し亀頭部を露出させる器具と、もう１つは性器の亀頭側部に装着するリング状の形をした器具があった。
【発明の概要】
【発明が解決しようとする課題】
【０００３】  ところが、先行技術には次のような欠点があった。男性器はサイズおよび膨張度合いに個人差があり、リング方式の規格品ではサイズが不適合であったり、使用中に外れ紛失することがあったり、腰や体に固定する方法はその取り付けが面倒であったりまたゴムを使用することでゴムアレルギーを起こす一因にもなっていた。【０００４】  そこで本発明は使用者が各自の亀頭のサイズに合わせて器具のサイズの調整が出来、ゴムアレルギーを起こす心配もなく長時間にわたって使用出来るとともに、紛失を減らす機能を有する。
【課題を解決するための手段】
【０００５】  請求項１に記載の発明は、合成樹脂で形成された胴体部の両端の棒状の部分に弾力性のあるシリコンチューブを亀頭下部で差し込んで連結し、リング状にした構造からなり、シリコンチューブは使用者の亀頭のサイズに合わせて切断することで、自分に合ったサイズに調整が出来る、包茎矯正器具。【０００６】  請求項２に記載の発明は、チューブはシリコンチューブを使うものとし、ゴムチューブを使用しないので、ゴムアレルギーを防げる包茎矯正器具。【０００７】  請求項３に記載の発明は、胴体部下部がＵ字に湾曲することで尿道の圧迫を防ぐとともに、胴体部に開いている穴にヒモを通し安全ピン等で衣類に固定することで使用中の紛失を防げる包茎矯正器具。
【発明の効果】
【０００８】  請求項１に記載の発明によれば、シリコンチューブを使用者の亀頭のサイズに合わせて切断することで、自分に合ったサイズに調整が出来るので、サイズ別の既製品のリング状の包茎矯正器具のように、自分のサイズに合うかどうかの不安がない。【０００９】  請求項２に記載の発明によれば、請求項１の発明の効果に加え、シリコンチューブを使いゴムチューブを使用しないので、ゴムアレルギーを防げる。【００１０】  請求項３に記載の発明によれば、請求項１又は２の発明の効果に加え、尿道の圧迫を防ぐので排尿時にも安心して使用出来、穴の部分にヒモを通して安全ピン等で衣服に固定出来るので、使用中の紛失を防げる。
【図面の簡単な説明】
【００１１】
【図１】本発明の第１実施形態を示す包茎矯正器具の正面図。
【図２】同じく、男性器に本発明装置を装着した側面図。
【発明を実施するための形態】
【実施例】
【００１２】  以下、本発明を具体化した第１実態形態を図面に基づいて説明する。【００１３】  図１に示すように合成樹脂で形成され下部がＵ字状に湾曲し、ヒモを通す穴３を有する胴体部２の両端の棒状の部分をシリコンチューブ１の両端の穴に差し込んで連結し、リング状にした図である。
図２に示すように男性器に本発明装置を装着した図である。【００１４】１        シリコンチューブ
２        胴体部
３        固定ヒモ通し穴
４        尿道部
５        亀頭部
６        男性器
【図１】
2012075842.tif 000003
【図２】
2012075842.tif 000004
(57)【要約】【課題】  本発明は、押してはめ込むオス具の凸部の形状と、それを受け入れるメス具の凹部の形状により数個の止め具が１度に、簡単にはずれるように工夫したボタンを提供する。【解決手段】  オス具の凸部（１）に軸（２）を設け、軸（２）に取り付け座（３）を設けたオス具と、中央に穴（４）、内側にメス具の凹部（５）を設けたメス具を組み合わせたことを特徴とするボタン。【選択図】図１
2012075849.tif 000002
【特許請求の範囲】
【請求項１】
オス具の凸部（１）に軸（２）を設け、軸（２）に取り付け座（３）を設けたオス具と、中央に穴（４）、内側にメス具の凹部（５）を設けたメス具を組み合わせたことを特徴とするボタン。
【発明の詳細な説明】
【技術分野】
【０００１】  本発明は、押してはめ込むオス具の凸部の形状と、それを受け入れるメス具の凹部の形状により数個の止め具が１度に、簡単にはずれるように工夫したボタンの改良に関するものである。
【背景技術】
【０００２】  従来、シャツのボタンは、１個ずつはめ合せ、はずすときも１個ずつはずさなければならなかった。
本発明は、はめ合せるときは１個ずつでも、はずすときはシャツの合せ部を、左右を上下にずらすことにより、１度に数個の止め具がはずれるようにしたものである。
【発明の概要】
【発明が解決しようとする課題】
【０００３】  シャツのボタンは、従来、１個ずつはめ合せ、はずすときも１個ずつはずさなければならなかった。
本発明は、はめ合せるときは１個ずつでも、はずすときはシャツの合せ部の左右を上下にずらすことにより、１度に数個の止め具がはずれるようにしたものである。
本発明は以上の問題点を解決するためになされたものである。
【課題を解決するための手段】
【０００４】  オス具の凸部（１）に軸（２）を設け、軸（２）に取り付け座（３）を設けたオス具と、中央に穴（４）、内側にメス具の凹部（５）を設けたメス具を組み合わせる。
以上のように構成されたボタン。
【発明の効果】
【０００５】  メス具の形状により数個の止め具が１度にはずれる止め具が１度にはずれる止め具の形状であることを特徴とするボタンである。
【図面の簡単な説明】
【０００６】
【図１】  本発明のオス具とメス具を分解した状態の説明図である。
【図２】  本発明の使用状態を示した説明図である。
【図３】  本発明の使用状態を示した説明図である。
【図４】  本発明の使用状態を示した説明図である。
【図５】  本発明の他の実施例を示した説明図である。
【発明を実施するための形態】
【０００７】  以下、本発明の実施の形態について説明する。
オス具の凸部（１）に軸（２）を設け、軸（２）に取り付け座（３）を設けたオス具と、中央に穴（４）、内側にメス具の凹部（５）を設けたメス具を組み合わせる。
図１は、合わせ止め具のオス具とメス具を分解した状態の説明図である。
凸部（１）は、メス部の穴（４）に押し込む円盤状の先端である。
約数ミリの大きさである軸（２）は、メス部の穴（４）と同程度の大きさである。
軸（２）は、メス部の穴（４）と同程度の大きさである。
オス部を受け入れる薄い材料でできたメス部である。
メス部の穴（４）は、オスの先端の凸部（１）を受け入れる円形の穴である。
凹部（５）は、メス部の穴（４）の両サイドに張りだしたメス部の穴（４）のサイズより小さい円形の一部である。
図２は、シャツの止め具のついた概要である。
左側の◎印は、オス具を示す。
右側の◎印は、メス具を示す。
図３は、使用状態を示した説明図で、シャツの合わせ部の断面図である。
シャツの布（Ａ）は、シャツを示す。
図４は、使用状態を示した説明図で、受け部（Ｂ）は、メス部の穴（４）を示す。
図５は、他の実施例を示した説明図で、メス部の状態を布に丈夫な糸で隙間なく縫いつけた図である。
止め具のオス部とメス部が上下にずらすと離れやすい理由を説明する。
今左側を下方向に右側を上方向にずらすとする。
すると図４のようにオス部もメス部も傾くことになる。
このとき、図１の穴（４）の下側から先にはずれ、その後上側がはずれる。
このとき、軸（２）の両サイドへの円形の切り込みがあるため、穴（４）の上側が上に引っ張られると、穴（４）の面積が増し、オスの離脱をスムーズにする。
さらにメス部を布に糸で隙間なく取りつけることにより離脱時の音が消え、さらに糸の弾性により離脱、及び結合がスムーズになる。
図１における凹部（５）の効果が追加される。
左右に引っ張られたとき、軸（２）が凹部（５）にくい込むため左右の引っ張りには強くなる。
【符号の説明】
【０００８】１  凸部
２  軸
３  取り付け座
４  穴
５  凹部
６  取り付け糸
Ａ  シャツの布
Ｂ  受け部
【図１】
2012075849.tif 000003
【図２】
2012075849.tif 000004
【図３】
2012075849.tif 000005
【図４】
2012075849.tif 000006
【図５】
2012075849.tif 000007
(57)【要約】      （修正有）【課題】洗濯バサミの２つのツマミ部分には、内側から又は外側の後方から、ひも状又は帯状の弾性のものを取り付けられておらず、２つのツマミ部分は連結されていなかった。そのため、他の物体に絡んだり引っかり、困ることが多かった。そこで、洗濯バサミを、他の物体に絡んだり、引っかからないようにする。【解決手段】洗濯バサミの２つのツマミ部分の片方１から、もう一方のツマミ部分２の内側に、ひも状又は帯状の弾性のもの３を２つのツマミ部分の穴を通し、取り付け連結させる。【選択図】図１
2012075845.tif 000002
【特許請求の範囲】
【請求項１】
洗濯バサミの２つツマミ部分の片方（１）から、もう一方のツマミ部分（２）の内側に、ひも状又は帯状の弾性のもの（３）を２つのツマミ部分の穴を通し、取り付け連結させた、他の物体に絡んだり引っかかったりしない、洗濯バサミ。
【請求項２】
洗濯バサミの２つツマミ部分の片方（１）から、もう一方のツマミ部分（２）の外側の後方に、ひも状又は帯状の弾性のもの（４）を２つのツマミ部分の穴を通し、取り付け連結させた、他の物体に絡んだり引っかかったりしない、洗濯バサミ。
【発明の詳細な説明】
【技術分野】
【０００１】  この発明は、ひも状又は帯状の弾性のものを、ツマミ部分の内側に又は外側の後方に２つのツマミ部分の穴を通し、取り付け、洗濯バサミの２つのツマミ部分を連結させた、洗濯バサミに関するものである。
【背景技術】
【０００２】  従来、洗濯バサミの２つのツマミ部分には、内側から又は外側の後方から、ひも状又は帯状の弾性のものを取り付けられておらず、２つのツマミ部分は連結されていなかった。
【先行技術文献】
【０００３】
【特許文献】
【発明の概要】
【発明が解決しようとする課題】
【０００４】  これは、次のような欠点があった。
従来、洗濯バサミは、洗濯ものハンガー等にみられるように、他の物体に取り付け利用されている。しかし、洗濯バサミの２つのツマミ部分には、ひも状又は帯状の弾性のもので内側から又は外側の後方から、取り付け連結されていない。そのため、他の物体に絡んだり引っかり、困ることが多かった。本発明は、以上のような欠点をなくすためになされたものである。
【課題を解決するための手段】
【０００５】  洗濯バサミの２つのツマミ部分の片方（１）の内側から又は外側の後方から、もう一方のツマミ部分（２）に、ひも状又は帯状の弾性のもの（３又は４）を２つのツマミ部分の穴を通し、取り付け連結させる。
本発明は、以上の構成よりなる、他の物体に絡んだり引っかかることのない、洗濯バサミである。
【発明の効果】
【０００６】  洗濯バサミの２つのツマミ部分の内側から又は外側の後方から、ひも状又は帯状の弾性のものを２つのツマミ部分の穴を通し取り付け、２つのツマミ部分が連結されるので、他の物体に絡んだりすることや、引っかかることを防止することができる。又、洗濯バサミの挟む機能は損なうことなく使用できる。
【図面の簡単な説明】
【０００７】
【図１】  本発明の斜視図である。
【図２】  本発明の断面図である。
【図３】  本発明の斜視図である。
【図４】  本発明の断面図である。
【発明を実施するための形態】
【０００８】  以下、本発明を実施するための形態について説明する。
洗濯バサミの２つのツマミ部分の片方（１）から、もう一方のツマミ部分（２）の内側又は外側の後方に、ひも状又は帯状の弾性のもの（３又は４）を２つのツマミ部分の穴を通し、取り付け連結させる。本発明は、以上のような構造である。
これを使用するときは、従来と同様に使用すればよい。
【符号の説明】
【０００９】  １  ツマミ部分
２  もう一方のツマミ部分
３  ひも状又は帯状の弾性のもの
４  ひも状又は帯状の弾性のもの
【図１】
2012075845.tif 000003
【図２】
2012075845.tif 000004
【図３】
2012075845.tif 000005
【図４】
2012075845.tif 000006